(57)【要約】      （修正有）【課題】冷凍機油が混入した液相冷媒を適切に外部へ流出させることのできる気液分離手段一体型のエジェクタを提供する。【解決手段】ボデー３０の内部に、通路形成部材３５を配置することによってノズル通路１３ａから噴射された噴射冷媒と吸引用通路１３ｂから吸引された吸引冷媒とを混合させて昇圧させるディフューザ通路１３ｃを形成するとともに、ディフューザ通路１３ｃから流出した冷媒の気液を遠心力の作用によって分離する気液分離空間３０ｆを形成する。そして、気液分離空間３０ｆ内で開口するオイル戻し通路３４ｃの入口部３４ｄを、通路形成部材３５の軸中心よりも外周側に近い位置に配置する。これにより、遠心力の作用によって気液分離空間３０ｆの外周側に偏在している冷凍機油が混入した液相冷媒を効率的にオイル戻し通路３４ｃへ流入させることができる。【選択図】図３
2014142166.tif 000002
【特許請求の範囲】
【請求項１】
冷媒中に圧縮機（１１）潤滑用の冷凍機油が混入した蒸気圧縮式の冷凍サイクル装置（１０）に適用されるエジェクタであって、
冷媒流入口（３１ａ）から流入した冷媒を旋回させる旋回空間（３０ａ）、前記旋回空間（３０ａ）から流出した冷媒を減圧させる減圧用空間（３０ｂ）、前記減圧用空間（３０ｂ）の冷媒流れ下流側に連通して外部から冷媒を吸引する吸引用通路（１３ｂ）、前記減圧用空間（３０ｂ）から噴射された噴射冷媒と前記吸引用通路（１３ｂ）から吸引された吸引冷媒とを混合させる昇圧用空間（３０ｅ）が形成されたボデー（３０）と、
少なくとも一部が前記減圧用空間（３０ｂ）の内部および前記昇圧用空間（３０ｅ）の内部に配置されるとともに、前記減圧用空間（３０ｂ）から離れるに伴って断面積が拡大する円錐状に形成された通路形成部材（３５）とを備え、
前記ボデー（３０）のうち前記減圧用空間（３０ｂ）を形成する部位の内周面と前記通路形成部材（３５）の外周面との間に形成される冷媒通路は、前記旋回空間（３０ａ）から流出した冷媒を減圧させて噴射するノズルとして機能するノズル通路（１３ａ）であり、
前記ボデー（３０）のうち前記昇圧用空間（３０ｅ）を形成する部位の内周面と前記通路形成部材（３５）の外周面との間に形成される冷媒通路は、前記噴射冷媒および前記吸引冷媒との混合冷媒を昇圧させるディフューザとして機能するディフューザ通路（１３ｃ）であり、
前記ディフューザ通路（１３ｃ）は、前記通路形成部材（３５）の軸方向に垂直な断面における断面形状が環状に形成されており、
さらに、前記ボデー（３０）には、前記ディフューザ通路（１３ｃ）から流出した冷媒の気液を遠心力の作用によって分離する気液分離空間（３０ｆ）、前記気液分離空間（３０ｆ）にて分離された気相冷媒を前記圧縮機（１１）の吸入側へ流出させる気相冷媒流出通路（３４ｂ）、および前記気液分離空間（３０ｆ）にて分離されて前記冷凍機油が混入した液相冷媒を前記気液分離空間（３０ｆ）から前記気相冷媒流出通路（３４ｂ）へ導くオイル戻し通路（３４ｃ）が形成されており、
前記通路形成部材（３５）の軸方向から見たときに、前記気液分離空間（３０ｆ）内で開口する前記オイル戻し通路（３４ｃ）の入口部（３４ｄ）は、前記通路形成部材（３５）の軸中心よりも前記気液分離空間（３０ｆ）の外周側に近い位置に配置されていることを特徴とするエジェクタ。
【請求項２】
前記気相冷媒流出通路（３４ｂ）内には、前記気相冷媒流出通路（３４ｂ）内で開口する前記オイル戻し通路（３４ｃ）の出口部（３４ｅ）における冷媒圧力を低下させる流出通路側減圧手段（３６）が設けられていることを特徴とする請求項１に記載のエジェクタ。
【請求項３】
前記ボデー（３０）には、前記気液分離空間（３０ｆ）の底面を陥没させることによって形成されて、前記気液分離空間（３０ｆ）にて分離された液相冷媒を気相冷媒に対して優先的に流入させる貯液穴（３４ｆ）が形成されており、
前記オイル戻し通路（３４ｃ）の入口部（３４ｄ）は、前記貯液穴（３４ｆ）内で開口していることを特徴とする請求項１または２に記載のエジェクタ。
【請求項４】
さらに、前記ボデー（３０）には、前記気液分離空間（３０ｆ）にて分離された液相冷媒を流出させる液相冷媒流出通路（３０ｉ）が形成されており、
前記通路形成部材（３５）の軸方向から見たときに、前記通路形成部材（３５）の軸中心から前記気液分離空間（３０ｆ）内で開口する前記液相冷媒流出通路（３０ｉ）の入口部（３０ｊ）の中心へ向かって延びる線分（Ｌ１）と、前記通路形成部材（３５）の軸中心から前記オイル戻し通路（３４ｃ）の入口部（３４ｄ）の中心へ向かって延びる線分（Ｌ２）との間に形成される角度（θ）が９０°以上となっていることを特徴とする請求項１ないし３のいずれか１つに記載のエジェクタ。
【請求項５】
前記ディフューザ通路（１３ｃ）から流出する冷媒が前記通路形成部材（３５）の軸周りに旋回することを促進する旋回促進手段（３８）を備えることを特徴とする請求項１ないし４のいずれか１つに記載のエジェクタ。
【請求項６】
前記ディフューザ通路（１３ｃ）を流通する冷媒は、前記通路形成部材（３５）の軸周りに旋回していることを特徴とする請求項１ないし５のいずれか１つに記載のエジェクタ。
【発明の詳細な説明】
【技術分野】
【０００１】
本発明は、流体を減圧させるとともに、高速度で噴射される噴射流体の吸引作用によって流体を吸引するエジェクタに関する。
【背景技術】
【０００２】
従来、蒸気圧縮式の冷凍サイクル装置に適用される減圧装置として、エジェクタが知られている。この種のエジェクタでは、冷媒を減圧させるノズル部を有し、このノズル部から噴射される噴射冷媒の吸引作用によって蒸発器から流出した気相冷媒を吸引し、昇圧部（ディフューザ部）にて噴射冷媒と吸引冷媒とを混合して昇圧させることができる。
【０００３】
従って、減圧装置としてエジェクタを備える冷凍サイクル装置（以下、エジェクタ式冷凍サイクルと記載する。）では、エジェクタの昇圧部における冷媒昇圧作用を利用して圧縮機の消費動力を低減させることができ、減圧装置として膨張弁等を備える通常の冷凍サイクル装置よりもサイクルの成績係数（ＣＯＰ）を向上させることができる。
【０００４】
さらに、特許文献１には、エジェクタ式冷凍サイクルに適用されるエジェクタとして、冷媒を二段階に減圧させるノズル部を有するものが開示されている。より詳細には、この特許文献１のエジェクタでは、第１ノズルにて高圧液相状態の冷媒を気液二相状態となるまで減圧し、気液二相状態となった冷媒を第２ノズルへ流入させている。
【０００５】
これにより、特許文献１のエジェクタでは、第２ノズルにおける冷媒の沸騰を促進してノズル部全体としてのノズル効率の向上を図り、エジェクタ式冷凍サイクル全体として、より一層のＣＯＰの向上を図ろうとしている。
【０００６】
また、一般的なエジェクタでは、ノズル部の軸線方向の延長線上にディフューザ部（昇圧部）が同軸上に配置されている。さらに、特許文献２には、このように配置されたディフューザ部の広がり角度を比較的小さくすることで、エジェクタ効率を向上できることが記載されている。
【０００７】
なお、ノズル効率とは、ノズル部において冷媒の圧力エネルギを運動エネルギに変換する際のエネルギ変換効率であり、エジェクタ効率は、エジェクタ全体としてのエネルギ変換効率である。
【先行技術文献】
【特許文献】
【０００８】
【特許文献１】特許第３３３１６０４号公報
【特許文献２】特開２００３−１４３１８号公報
【発明の概要】
【発明が解決しようとする課題】
【０００９】
ところが、特許文献１のエジェクタでは、例えば、エジェクタ式冷凍サイクルの熱負荷が低くなり、サイクルの高圧側冷媒の圧力と低圧側冷媒の圧力との圧力差（高低圧差）が縮小してしまうと、第１ノズルにて高低圧差分の減圧がなされてしまい、第２ノズルでは殆ど冷媒が減圧されなくなってしまうことがある。
【００１０】
このような場合、第２ノズルへ気液二相冷媒を流入させることによるノズル効率向上効果を得られなくなってしまい、ディフューザ部にて冷媒を充分に昇圧させることができなくなってしまうことがある。
【００１１】
これに対して、特許文献１のエジェクタに特許文献２に開示されている比較的小さい広がり角度のディフューザ部を適用し、エジェクタ効率を向上させることによって、エジェクタ式冷凍サイクルの低負荷時にもディフューザ部にて冷媒を充分に昇圧させる手段が考えられる。
【００１２】
しかしながら、このようなディフューザ部を適用すると、エジェクタ全体としてノズル部の軸線方向の長さが長くなってしまうので、エジェクタ式冷凍サイクルの通常負荷時においてはエジェクタの体格が不必要に大きくなってしまうことが問題となる。
【００１３】
そこで、本発明者らは、先に、特願２０１２−１８４９５０号（以下、先願例という。）にて、
エジェクタ式冷凍サイクルに適用されるエジェクタであって、
放熱器から流出した冷媒を旋回させる旋回空間、この旋回空間から流出した冷媒を減圧させる減圧用空間、減圧用空間の冷媒流れ下流側に連通して蒸発器から流出した冷媒を吸引する吸引用通路、および減圧用空間から噴射された噴射冷媒と吸引用通路から吸引された吸引冷媒とを混合して昇圧させる昇圧用空間が形成されたボデー部と、
少なくとも一部が減圧用空間の内部および昇圧用空間の内部に配置されて、減圧用空間から離れるに伴って断面積が拡大する円錐状に形成された通路形成部材とを備え、
ボデーのうち減圧用空間を形成する部位の内周面と通路形成部材の外周面との間に形成される冷媒通路が、旋回空間から流出した冷媒を減圧させて噴射するノズルとして機能するノズル通路を形成し、
ボデーのうち昇圧用空間を形成する部位の内周面と通路形成部材の外周面との間に形成される冷媒通路が、噴射冷媒および吸引冷媒を混合して昇圧させるディフューザとして機能するディフューザ通路を形成し、
さらに、ボデーには、ディフューザ通路から流出した冷媒の気液を遠心力の作用によって分離する気液分離空間が形成されているエジェクタを提案している。
【００１４】
この先願例のエジェクタでは、旋回空間にて冷媒を旋回させることで、旋回空間内の旋回中心側の冷媒圧力を、飽和液相冷媒となる圧力、あるいは、冷媒が減圧沸騰する（キャビテーションを生じる）圧力まで低下させることができる。これにより、旋回中心軸の外周側よりも内周側に気相冷媒が多く存在するようにして、旋回空間内の旋回中心線近傍はガス単相、その周りは液単相の二相分離状態とすることができる。
【００１５】
そして、二相分離状態の冷媒は、ノズル通路へ流入して壁面沸騰および界面沸騰によって沸騰が促進されるので、ノズル通路の最小流路面積部近傍では、気相と液相が均質に混合した気液混合状態となる。さらに、ノズル通路の最小流路面積部近傍にて気液混合状態となった冷媒に閉塞（チョーキング）が生じ、気液混合状態の冷媒の流速が二相音速となるまで加速する。
【００１６】
このように二相音速まで加速した冷媒は、ノズル通路の最小流路面積部から下流側にて、均質に混合された理想的な二相噴霧流れとなって、その流速をさらに増大させることができる。その結果、ノズル通路にて冷媒の圧力エネルギを速度エネルギへ変換する際のエネルギ変換効率（ノズル効率に相当）を向上させることができる。
【００１７】
さらに、先願例のエジェクタでは、通路形成部材として円錐状に形成されたものを採用して、通路形成部材の軸方向から見たときに、ディフューザ通路の軸方向垂直断面形状を円環状に形成している。そして、ディフューザ通路の形状を減圧用空間から離れるに伴って通路形成部材の外周に沿って広がる形状とするとともに、ディフューザ通路を流通する冷媒を通路形成部材の軸周りに旋回させている。
【００１８】
これにより、ディフューザ通路において冷媒を昇圧させるための冷媒流路を螺旋状に形成することができるので、ディフューザ通路の軸方向寸法が拡大してしまうことを抑制して、エジェクタ全体としての体格の大型化を抑制することができる。
【００１９】
さらに、先願例のエジェクタでは、ボデーの内部に形成された気液分離空間にて、ディフューザ通路から流出した冷媒の気液を遠心力の作用によって分離しているので、ボデーの外部に気液分離手段を配置する場合に対して、気液分離空間にて効率的に冷媒の気液を分離できるとともに、気液分離空間の容積を効果的に小さくすることができる。
【００２０】
その理由は、ディフューザ通路から流出して気液分離空間へ流入する冷媒が、既に旋回方向の速度成分を有しているからである。つまり、この旋回方向の速度成分によって冷媒を気液分離空間内で高速度で旋回させることができるので、効率的な気液分離を行うことができる。さらに、気液分離空間内に冷媒に旋回流れを発生あるいは成長させるための空間を設ける必要がないので、気液分離空間の容積を効果的に小さくすることができる。
【００２１】
従って、先願例のエジェクタによれば、体格の大型化を招くことなく、冷凍サイクルの負荷変動によらず高いノズル効率を発揮可能な気液分離手段一体型のエジェクタを実現することができる。
【００２２】
ところで、一般的な冷凍サイクル装置の冷媒には、圧縮機潤滑用の冷凍機油が混入されており、この種の冷凍機油としては液相冷媒に相溶性を有するものが採用されている。このため、低圧側に気液分離器（アキュムレータ）を有する冷凍サイクル装置では、分離された液相冷媒の一部をオイル戻し通路を介して圧縮機の吸入側へ戻すことによって、圧縮機の潤滑を行っている。
【００２３】
ところが、先願例のエジェクタのように、ディフューザ通路の軸方向垂直断面形状が円環状に形成されて、ディフューザ通路が冷媒流れ下流側に向かって徐々に外周側に広がる形状に形成される構成や、比較的小さな容積の気液分離空間内で高速度で冷媒を旋回させて効率的な気液分離を行う構成では、気相冷媒に対して密度の高い液相冷媒が気液分離空間内の外周側に偏在してしまいやすい。
【００２４】
従って、オイル戻し通路を適切に設けないと、冷凍機油が混入した液相冷媒を圧縮機の吸入側へ戻すことができなくなってしまい、圧縮機の耐久寿命に悪影響を与えてしまう。
【００２５】
上記点に鑑み、本発明は、気液分離手段にて分離された冷凍機油が混入した液相冷媒を適切に外部へ流出させることのできる気液分離手段一体型のエジェクタを提供することを目的とする。
【課題を解決するための手段】
【００２６】
本発明は、上記目的を達成するために案出されたもので、請求項１に記載の発明では、冷媒中に圧縮機（１１）潤滑用の冷凍機油が混入した蒸気圧縮式の冷凍サイクル装置（１０）に適用されるエジェクタであって、
冷媒流入口（３１ａ）から流入した冷媒を旋回させる旋回空間（３０ａ）、旋回空間（３０ａ）から流出した冷媒を減圧させる減圧用空間（３０ｂ）、減圧用空間（３０ｂ）の冷媒流れ下流側に連通して外部から冷媒を吸引する吸引用通路（１３ｂ）、減圧用空間（３０ｂ）から噴射された噴射冷媒と吸引用通路（１３ｂ）から吸引された吸引冷媒とを混合させる昇圧用空間（３０ｅ）が形成されたボデー（３０）と、少なくとも一部が減圧用空間（３０ｂ）の内部および昇圧用空間（３０ｅ）の内部に配置されるとともに、減圧用空間（３０ｂ）から離れるに伴って断面積が拡大する円錐状に形成された通路形成部材（３５）とを備え、
ボデー（３０）のうち減圧用空間（３０ｂ）を形成する部位の内周面と通路形成部材（３５）の外周面との間に形成される冷媒通路は、旋回空間（３０ａ）から流出した冷媒を減圧させて噴射するノズルとして機能するノズル通路（１３ａ）であり、ボデー（３０）のうち昇圧用空間（３０ｅ）を形成する部位の内周面と通路形成部材（３５）の外周面との間に形成される冷媒通路は、噴射冷媒および吸引冷媒との混合冷媒を昇圧させるディフューザとして機能するディフューザ通路（１３ｃ）であり、ディフューザ通路（１３ｃ）は、通路形成部材（３５）の軸方向に垂直な断面における断面形状が環状に形成されており、
さらに、ボデー（３０）には、ディフューザ通路（１３ｃ）から流出した冷媒の気液を遠心力の作用によって分離する気液分離空間（３０ｆ）、気液分離空間（３０ｆ）にて分離された気相冷媒を圧縮機（１１）の吸入側へ流出させる気相冷媒流出通路（３４ｂ）、および気液分離空間（３０ｆ）にて分離されて冷凍機油が混入した液相冷媒を気液分離空間（３０ｆ）から気相冷媒流出通路（３４ｂ）へ導くオイル戻し通路（３４ｃ）が形成されており、
通路形成部材（３５）の軸方向から見たときに、気液分離空間（３０ｆ）内で開口するオイル戻し通路（３４ｃ）の入口部（３４ｄ）は、通路形成部材（３５）の軸中心よりも気液分離空間（３０ｆ）の外周側に近い位置に配置されていることを特徴とする。
【００２７】
これによれば、先願例と同様に、旋回空間（３０ａ）にて冷媒を旋回させることによって、ノズル通路（１３ａ）におけるエネルギ変換効率（ノズル効率に相当）を向上させることができる。さらに、ディフューザ通路（１３ｃ）を流通する冷媒を旋回させることによって、先願例と同様に、ディフューザ通路（１３ｃ）の軸方向寸法の拡大を抑制できる。
【００２８】
さらに、ボデー（３０）の内部に形成された気液分離空間（３０ｆ）にて、ディフューザ通路（１３ｃ）から流出した冷媒の気液を分離しているので、気液分離空間（３０ｆ）にて効率的に冷媒の気液を分離できるとともに、気液分離空間（３０ｆ）の容積を効果的に小さくすることができる。
【００２９】
これに加えて、本請求項に記載の発明によれば、通路形成部材（３５）の軸方向から見たときに、気液分離空間（３０ｆ）内で開口するオイル戻し通路（３４ｃ）の入口部（３４ｄ）が、通路形成部材（３５）の軸中心よりも外周側に近い位置に配置されている。
【００３０】
従って、ディフューザ通路（１３ｃ）の断面形状が環状に形成されていることや、遠心力の作用によって、気液分離空間（３０ｆ）の外周側に偏在してしまう液相冷媒を、オイル戻し通路（３４ｃ）へ流入させることができる。そして、冷凍機油が混入した液相冷媒を、気相冷媒流出通路（３４ｂ）を介して圧縮機（１１）の吸入口側へ流出させることができる。
【００３１】
つまり、本請求項に記載の発明によれば、気液分離空間（３０ｆ）にて分離された冷凍機油が混入した液相冷媒を適切に外部へ流出させることのできる気液分離手段一体型のエジェクタを提供することができる。
【００３２】
また、上記の特徴のエジェクタにおいて、請求項５に記載の発明のように、ディフューザ通路（１３ｃ）から流出する冷媒が通路形成部材（３５）の軸周りに旋回することを促進する旋回促進手段（３８）を備えてもよい。
【００３３】
これによれば、旋回促進手段（３８）を備えているので、気液分離空間（３０ｆ）へ流入する冷媒を確実に旋回させることができる。従って、遠心力の作用によって気液分離空間（３０ｆ）へ流入した冷媒の気液を確実に分離できるとともに、分離された液相冷媒を気液分離空間（３０ｆ）の外周側に偏在させて確実にオイル戻し通路（３４ｃ）へ流入させることができる。
【００３４】
さらに、請求項６に記載の発明のように、ディフューザ通路（１３ｃ）から流出する冷媒が、通路形成部材（３５）の軸周りに旋回していてもよい。
【００３５】
これによれば、気液分離空間（３０ｆ）へ流入する冷媒も旋回するので、請求項５に記載の発明と同様に、遠心力の作用によって気液分離空間（３０ｆ）へ流入した冷媒の気液を確実に分離できるとともに、分離された液相冷媒を気液分離空間（３０ｆ）の外周側に偏在させて確実にオイル戻し通路（３４ｃ）へ流入させることができる。
【００３６】
なお、上記の請求項において、通路形成部材（３５）は、厳密に減圧用空間（３０ｂ）から離れるに伴って断面積が拡大する形状のみから形成されているものに限定されず、少なくとも一部に減圧用空間（３０ｂ）から離れるに伴って断面積が拡大する形状を含んでいることによって、ディフューザ通路（１３ｃ）の形状を減圧用空間（３０ｂ）から離れるに伴って外側へ広がる形状とすることができるものを含む。
【００３７】
さらに、「円錐状に形成された」とは、通路形成部材（３５）が完全な円錐形状に形成されているという意味に限定されず、円錐に近い形状、あるいは一部に円錐形状を含んで形成されているという意味も含んでいる。具体的には、軸方向断面形状が二等辺三角形となるものに限定されず、頂点を挟む二辺が内周側に凸となる形状、頂点を挟む二辺が外周側に凸となる形状、さらに断面形状が半円形状となるもの等も含む意味である。
【００３８】
なお、この欄および特許請求の範囲で記載した各手段の括弧内の符号は、後述する実施形態に記載の具体的手段との対応関係を示すものである。
【図面の簡単な説明】
【００３９】
【図１】第１実施形態のエジェクタ式冷凍サイクルの全体構成図である。
【図２】第１実施形態のエジェクタの軸方向断面図である。
【図３】第１実施形態のエジェクタの各冷媒通路の機能を説明するための模式的な断面図である。
【図４】図２のＩＶ−ＩＶ断面図である。
【図５】第１実施形態のエジェクタ式冷凍サイクルにおける冷媒の状態を示すモリエル線図である。
【図６】第２実施形態のエジェクタの軸方向断面図である。
【図７】第３実施形態のエジェクタの軸方向断面図である。
【図８】第４実施形態のエジェクタのディフューザ通路における冷媒流れを説明するための説明図である。
【図９】他の実施形態のオイル戻し通路の入口部と液相冷媒流出通路の入口部との位置関係を示す断面図である。
【図１０】他の実施形態のオイル戻し通路の入口部と液相冷媒流出通路の入口部との別の位置関係を示す断面図である。
【発明を実施するための形態】
【００４０】
（第１実施形態）
図１〜図５を用いて、本発明の第１実施形態を説明する。本実施形態のエジェクタ１３は、図１に示すように、冷媒減圧手段としてエジェクタを備える蒸気圧縮式の冷凍サイクル装置、すなわち、エジェクタ式冷凍サイクル１０に適用されている。さらに、このエジェクタ式冷凍サイクル１０は、車両用空調装置に適用され、空調対象空間である車室内へ送風される送風空気を冷却する機能を果たす。
【００４１】
まず、エジェクタ式冷凍サイクル１０において、圧縮機１１は、冷媒を吸入して高圧冷媒となるまで昇圧して吐出するものである。具体的には、本実施形態の圧縮機１１は、１つのハウジング内に固定容量型の圧縮機構１１ａ、および圧縮機構１１ａを駆動する電動モータ１１ｂを収容して構成された電動圧縮機である。
【００４２】
この圧縮機構１１ａとしては、スクロール型圧縮機構、ベーン型圧縮機構等の各種圧縮機構を採用できる。また、電動モータ１１ｂは、後述する制御装置から出力される制御信号によって、その作動（回転数）が制御されるもので、交流モータ、直流モータのいずれの形式を採用してもよい。
【００４３】
圧縮機１１の吐出口には、放熱器１２の凝縮部１２ａの冷媒入口側が接続されている。放熱器１２は、圧縮機１１から吐出された高圧冷媒と冷却ファン１２ｄにより送風される車室外空気（外気）を熱交換させることによって、高圧冷媒を放熱させて冷却する放熱用熱交換器である。
【００４４】
より具体的には、この放熱器１２は、圧縮機１１から吐出された高圧気相冷媒と冷却ファン１２ｄから送風された外気とを熱交換させ、高圧気相冷媒を放熱させて凝縮させる凝縮部１２ａ、凝縮部１２ａから流出した冷媒の気液を分離して余剰液相冷媒を蓄えるレシーバ部１２ｂ、およびレシーバ部１２ｂから流出した液相冷媒と冷却ファン１２ｄから送風される外気とを熱交換させ、液相冷媒を過冷却する過冷却部１２ｃを有して構成される、いわゆるサブクール型の凝縮器である。
【００４５】
なお、エジェクタ式冷凍サイクル１０では、冷媒としてＨＦＣ系冷媒（具体的には、Ｒ１３４ａ）を採用しており、高圧側冷媒圧力が冷媒の臨界圧力を超えない亜臨界冷凍サイクルを構成している。もちろん、冷媒としてＨＦＯ系冷媒（具体的には、Ｒ１２３４ｙｆ）等を採用してもよい。さらに、冷媒には圧縮機１１を潤滑するための冷凍機油が混入されており、冷凍機油の一部は冷媒とともにサイクルを循環している。
【００４６】
また、冷却ファン１２ｄは、制御装置から出力される制御電圧によって回転数（送風空気量）が制御される電動式送風機である。放熱器１２の過冷却部１２ｃの冷媒出口側には、エジェクタ１３の冷媒流入口３１ａが接続されている。
【００４７】
エジェクタ１３は、放熱器１２から流出した過冷却状態の高圧液相冷媒を減圧させて下流側へ流出させる冷媒減圧手段としての機能を果たすとともに、高速度で噴射される冷媒流の吸引作用によって後述する蒸発器１４から流出した冷媒を吸引（輸送）して循環させる冷媒循環手段（冷媒輸送手段）としての機能を果たす。さらに、本実施形態のエジェクタ１３は、減圧させた冷媒の気液を分離する気液分離手段としての機能も果たす。
【００４８】
エジェクタ１３の具体的構成については、図２、図３を用いて説明する。なお、図２における上下の各矢印は、エジェクタ式冷凍サイクル１０を車両用空調装置に搭載した状態における上下の各方向を示している。また、図３は、エジェクタ１３の各冷媒通路の機能を説明するための模式的な断面図であって、図２と同一部分には同一の符号を付している。
【００４９】
まず、本実施形態のエジェクタ１３は、図２に示すように、複数の構成部材を組み合わせることによって構成されたボデー３０を備えている。具体的には、このボデー３０は、外観角柱状の金属にて形成されてエジェクタ１３の外殻を形成するハウジングボデー３１を有し、このハウジングボデー３１の内部に、ノズルボデー３２、ミドルボデー３３、ロワーボデー３４等を固定して構成されたものである。
【００５０】
ハウジングボデー３１には、放熱器１２から流出した冷媒を内部へ流入させる冷媒流入口３１ａ、蒸発器１４から流出した冷媒を吸引する冷媒吸引口３１ｂ、ボデー３０の内部に形成された気液分離空間３０ｆにて分離された液相冷媒を蒸発器１４の冷媒入口側へ流出させる液相冷媒流出口３１ｃ、および気液分離空間３０ｆにて分離された気相冷媒を圧縮機１１の吸入側へ流出させる気相冷媒流出口３１ｄ等が形成されている。
【００５１】
ノズルボデー３２は、冷媒流れ方向に先細る略円錐形状の金属部材で形成されており、軸方向が鉛直方向（図２の上下方向）と平行になるように、ハウジングボデー３１の内部に圧入等の手段によって固定されている。ノズルボデー３２の上方側とハウジングボデー３１との間には、冷媒流入口３１ａから流入した冷媒を旋回させる旋回空間３０ａが形成されている。
【００５２】
旋回空間３０ａは、回転体形状に形成され、図２の一点鎖線で示す中心軸が鉛直方向に延びている。なお、回転体形状とは、平面図形を同一平面上の１つの直線（中心軸）の周りに回転させた際に形成される立体形状である。より具体的には、本実施形態の旋回空間３０ａは、略円柱状に形成されている。もちろん、円錐あるいは円錐台と円柱とを結合させた形状等に形成されていてもよい。
【００５３】
さらに、冷媒流入口３１ａと旋回空間３０ａとを接続する冷媒流入通路３１ｅは、旋回空間３０ａの中心軸方向から見たときに旋回空間３０ａの内壁面の接線方向に延びている。これにより、冷媒流入通路３１ｅから旋回空間３０ａへ流入した冷媒は、旋回空間３０ａの内壁面に沿って流れ、旋回空間３０ａ内を旋回する。
【００５４】
なお、冷媒流入通路３１ｅは、旋回空間３０ａの中心軸方向から見たときに、旋回空間３０ａの接線方向と完全に一致するように形成されている必要はなく、少なくとも旋回空間３０ａの接線方向の成分を含んでいれば、その他の方向の成分（例えば、旋回空間３０ａの軸方向の成分）を含んで形成されていてもよい。
【００５５】
ここで、旋回空間３０ａ内で旋回する冷媒には遠心力が作用するので、旋回空間３０ａ内では中心軸側の冷媒圧力が外周側の冷媒圧力よりも低下する。そこで、本実施形態では、エジェクタ式冷凍サイクル１０の通常運転時に、旋回空間３０ａ内の中心軸側の冷媒圧力を、飽和液相冷媒となる圧力、あるいは、冷媒が減圧沸騰する（キャビテーションを生じる）圧力まで低下させるようにしている。
【００５６】
このような旋回空間３０ａ内の中心軸側の冷媒圧力の調整は、旋回空間３０ａ内で旋回する冷媒の旋回流速を調整することによって実現することができる。さらに、旋回流速の調整は、例えば、冷媒流入通路３１ｅの通路断面積と旋回空間３０ａの軸方向垂直断面積との面積比を調整すること等によって行うことができる。なお、本実施形態の旋回流速とは、旋回空間３０ａの最外周部近傍における冷媒の旋回方向の流速を意味している。
【００５７】
また、ノズルボデー３２の内部には、旋回空間３０ａから流出した冷媒を減圧させて下流側へ流出させる減圧用空間３０ｂが形成されている。この減圧用空間３０ｂは、円柱状空間とこの円柱状空間の下方側から連続して冷媒流れ方向に向かって徐々に広がる円錐台形状空間とを結合させた回転体形状に形成されており、減圧用空間３０ｂの中心軸は旋回空間３０ａの中心軸と同軸上に配置されている。
【００５８】
さらに、減圧用空間３０ｂの内部には、減圧用空間３０ｂ内に冷媒通路面積が最も縮小した最小通路面積部３０ｍを形成するとともに、最小通路面積部３０ｍの通路面積を変化させる通路形成部材３５が配置されている。この通路形成部材３５は、冷媒流れ下流側に向かって徐々に広がる略円錐形状に形成されており、その中心軸が減圧用空間３０ｂの中心軸と同軸上に配置されている。換言すると、通路形成部材３５は、減圧用空間３０ｂから離れるに伴って断面積が拡大する円錐状に形成されている。
【００５９】
そして、ノズルボデー３２の減圧用空間３０ｂを形成する部位の内周面と通路形成部材３５の上方側の外周面との間に形成される冷媒通路としては、先細部１３１および末広部１３２が形成される。より具体的には、図３に示すように、先細部１３１は、最小通路面積部３０ｍよりも冷媒流れ上流側に形成されて冷媒通路面積が徐々に縮小する冷媒通路である。また、末広部１３２は、最小通路面積部３０ｍから冷媒流れ下流側に形成されて冷媒通路面積が徐々に拡大する冷媒通路である。
【００６０】
この末広部１３２では、径方向から見たときに減圧用空間３０ｂと通路形成部材３５が重合（オーバーラップ）しているので、冷媒通路の軸方向垂直断面の形状が円環状（大径の円形状から同軸上に配置された小径の円形状を除いたドーナツ形状）となる。さらに、本実施形態の通路形成部材３５の広がり角度は、減圧用空間３０ｂの円錐台形状空間の広がり角度よりも小さくなっているので、末広部１３２における冷媒通路面積は、冷媒流れ下流側に向かって徐々に拡大している。
【００６１】
本実施形態では、この通路形状によって減圧用空間３０ｂの内周面と通路形成部材３５の頂部側の外周面との間に形成される冷媒通路をノズルとして機能するノズル通路１３ａとし、冷媒を減圧させるとともに、冷媒の流速を音速となるように増速させて噴射している。さらに、ノズル通路１３ａへ流入する冷媒は旋回空間３０ａにて旋回しているので、ノズル通路１３ａを流通する冷媒およびノズル通路１３ａから噴射される噴射冷媒も、旋回空間３０ａにて旋回する冷媒と同方向に旋回する方向の速度成分を有している。
【００６２】
次に、ミドルボデー３３は、図２に示すように、その中心部に表裏を貫通する回転体形状の貫通穴が設けられているとともに、この貫通穴の外周側に通路形成部材３５を変位させる駆動手段３７を収容した金属製の円板状部材で形成されている。なお、ミドルボデー３３の貫通穴の中心軸は旋回空間３０ａおよび減圧用空間３０ｂの中心軸と同軸上に配置されている。また、ミドルボデー３３は、ハウジングボデー３１の内部であって、かつ、ノズルボデー３２の下方側に圧入等の手段によって固定されている。
【００６３】
さらに、ミドルボデー３３の上面とこれに対向するハウジングボデー３１の内壁面との間には、冷媒吸引口３１ｂから流入した冷媒を滞留させる流入空間３０ｃが形成されている。本実施形態では、ノズルボデー３２の下方側の先細先端部がミドルボデー３３の貫通穴の内部に位置付けられるため、流入空間３０ｃは、旋回空間３０ａおよび減圧用空間３０ｂの中心軸方向から見たときに、断面円環状に形成される。
【００６４】
なお、冷媒吸引口３１ｂと流入空間３０ｃとを接続する吸引冷媒流入通路３０ｈは、流入空間３０ｃの中心軸方向から見たときに、流入空間３０ｃの内周壁面の接線方向に延びていることが望ましい。その理由は、冷媒吸引口３１ｂから吸引冷媒流入通路３０ｈを介して流入空間３０ｃ内へ流入した冷媒を、旋回空間３０ａ内の冷媒と同方向に旋回させることで、流入空間３０ｃから後述する昇圧用空間３０ｅへ流入する冷媒の旋回流れを促進できるからである。
【００６５】
また、ミドルボデー３３の貫通穴のうち、ノズルボデー３２の下方側が挿入される範囲、すなわち軸線に垂直な径方向から見たときにミドルボデー３３とノズルボデー３２が重合する範囲では、ノズルボデー３２の先細先端部の外周形状に適合するように冷媒通路面積が冷媒流れ方向に向かって徐々に縮小している。これにより、貫通穴の内周面とノズルボデー３２の下方側の外周面との間には、流入空間３０ｃと減圧用空間３０ｂの冷媒流れ下流側とを連通させる吸引通路３０ｄが形成される。
【００６６】
つまり、本実施形態では、吸引冷媒流入通路３０ｈ、流入空間３０ｃおよび吸引通路３０ｄによって、外部から冷媒吸引口３１ｂを介して冷媒を吸引する吸引用通路１３ｂが形成される。さらに、この吸引用通路１３ｂの中心軸垂直断面も円環状に形成され、吸引用通路１３ｂでは、中心軸の外周側から内周側へ向かって吸引冷媒が旋回しながら流れる。
【００６７】
また、ミドルボデー３３の貫通穴のうち、吸引通路３０ｄの冷媒流れ下流側には、冷媒流れ方向に向かって徐々に広がる略円錐台形状に形成された昇圧用空間３０ｅが形成されている。この昇圧用空間３０ｅは、上述したノズル通路１３ａから噴射された噴射冷媒と吸引通路３０ｄから吸引された吸引冷媒とを混合させる空間である。
【００６８】
昇圧用空間３０ｅの内部には、前述した通路形成部材３５の下方側が配置されている。さらに、昇圧用空間３０ｅ内の通路形成部材３５の円錐状側面の広がり角度は、昇圧用空間３０ｅの円錐台形状空間の広がり角度よりも小さくなっているので、この冷媒通路の冷媒通路面積は冷媒流れ下流側に向かって徐々に拡大する。
【００６９】
本実施形態では、このように冷媒通路面積を拡大させることによって、昇圧用空間３０ｅを形成するミドルボデー３３の内周面と通路形成部材３５の下方側の外周面との間に形成される冷媒通路をディフューザとして機能するディフューザ通路１３ｃとし、噴射冷媒および吸引冷媒の混合冷媒の速度エネルギを圧力エネルギに変換させている。つまり、ディフューザ通路１３ｃでは、噴射冷媒および吸引冷媒を混合して昇圧させている。
【００７０】
さらに、ディフューザ通路１３ｃの中心軸垂直断面形状も円環状に形成されており、ディフューザ通路１３ｃを流通する冷媒も、図３に模式的に示すように、旋回空間３０ａにて旋回する冷媒と同方向に旋回する方向の速度成分を有している。
【００７１】
次に、ミドルボデー３３の内部に配置されて、通路形成部材３５を変位させる駆動手段３７について説明する。この駆動手段３７は、圧力応動部材である円形薄板状のダイヤフラム３７ａを有して構成されている。より具体的には、図２に示すように、ダイヤフラム３７ａはミドルボデー３３の外周側に形成された円柱状の空間を上下の２つの空間に仕切るように、溶接等の手段によって固定されている。
【００７２】
ダイヤフラム３７ａによって仕切られた２つの空間のうち上方側（流入空間３０ｃ側）の空間は、蒸発器１４流出冷媒の温度に応じて圧力変化する感温媒体が封入される封入空間３７ｂを構成している。この封入空間３７ｂには、エジェクタ式冷凍サイクル１０を循環する冷媒と同一組成の感温媒体が予め定めた密度となるように封入されている。従って、本実施形態における感温媒体は、Ｒ１３４ａを主成分とする媒体となる。
【００７３】
一方、ダイヤフラム３７ａによって仕切られた２つの空間のうち下方側の空間は、図示しない連通路を介して、蒸発器１４流出冷媒を導入させる導入空間３７ｃを構成している。従って、封入空間３７ｂに封入された感温媒体には、流入空間３０ｃと封入空間３７ｂとを仕切る蓋部材３７ｄおよびダイヤフラム３７ａ等を介して、蒸発器１４流出冷媒の温度が伝達される。
【００７４】
より詳細には、図２、図３から明らかなように、本実施形態のミドルボデー３３の上方側には吸引用通路１３ｂが配置され、ミドルボデー３３の中心軸側から下方側へ至る範囲にはディフューザ通路１３ｃが配置されている。従って、駆動手段３７の少なくとも一部は、軸線の径方向から見たときに吸引用通路１３ｂおよびディフューザ通路１３ｃによって上下方向から挟まれる位置に配置されることになる。
【００７５】
そして、駆動手段３７の封入空間３７ｂは、旋回空間３０ａや通路形成部材３５等の中心軸方向から見たときに、吸引用通路１３ｂおよびディフューザ通路１３ｃと重合する位置であって、吸引用通路１３ｂおよびディフューザ通路１３ｃによって囲まれる位置に配置されている。これにより、封入空間３７ｂに蒸発器１４流出冷媒の温度が伝達され、封入空間３７ｂの内圧は、蒸発器１４流出冷媒の温度に応じた圧力となる。
【００７６】
さらに、ダイヤフラム３７ａは、封入空間３７ｂの内圧と導入空間３７ｃへ流入した蒸発器１４流出冷媒の圧力との差圧に応じて変形する。このため、ダイヤフラム３７ａは弾性に富み、かつ熱伝導が良好で、強靱な材質にて形成することが好ましく、例えば、ステンレス（ＳＵＳ３０４）等の金属薄板にて形成されることが望ましい。
【００７７】
また、ダイヤフラム３７ａの中心部には、円柱状の作動棒３７ｅの上端側が溶接等の手段によって接合され、作動棒３７ｅの下端側には通路形成部材３５の最下方側（底側）の外周側が固定されている。これにより、ダイヤフラム３７ａと通路形成部材３５が連結され、ダイヤフラム３７ａの変位に伴って通路形成部材３５が変位し、ノズル通路１３ａの冷媒通路面積（最小通路面積部３０ｍにおける通路断面積）が調整される。
【００７８】
具体的には、流入空間３０ｃへ流入した蒸発器１４流出冷媒の温度（過熱度）が上昇すると、封入空間３７ｂに封入された感温媒体の飽和圧力が上昇し、封入空間３７ｂの内圧から導入空間３７ｃの圧力を差し引いた差圧が大きくなる。これにより、ダイヤフラム３７ａは、最小通路面積部３０ｍにおける通路断面積を拡大させる方向（鉛直方向下方側）に通路形成部材３５を変位させる。
【００７９】
一方、流入空間３０ｃへ流入した蒸発器１４流出冷媒の温度（過熱度）が低下すると、封入空間３７ｂに封入された感温媒体の飽和圧力が低下して、封入空間３７ｂの内圧から導入空間３７ｃの圧力を差し引いた差圧が小さくなる。これにより、ダイヤフラム３７ａは、最小通路面積部３０ｍにおける通路断面積を縮小させる方向（鉛直方向上方側）に通路形成部材３５を変位させる。
【００８０】
このように蒸発器１４流出冷媒の温度に応じてダイヤフラム３７ａが、通路形成部材３５を上下方向に変位させることによって、蒸発器１４流出冷媒の過熱度が予め定めた所定値に近づくように、最小通路面積部３０ｍにおける通路断面積を調整することができる。なお、作動棒３７ｅとミドルボデー３３との隙間は、図示しないＯ−リング等のシール部材によってシールされており、作動棒３７ｅが変位してもこの隙間から冷媒が漏れることはない。
【００８１】
また、通路形成部材３５の底面は、ロワーボデー３４に固定されたコイルバネ４０の荷重を受けている。コイルバネ４０は、通路形成部材３５に対して、最小通路面積部３０ｍにおける通路断面積を縮小する側に付勢する荷重をかけており、この荷重を調整することで、通路形成部材３５の開弁圧を変更して、狙いの過熱度を変更することもできる。
【００８２】
さらに、本実施形態では、ミドルボデー３３の外周側に複数（具体的には、２つ）の円柱状の空間を設け、この空間の内部にそれぞれ円形薄板状のダイヤフラム３７ａを固定して２つの駆動手段３７を構成しているが、駆動手段３７の数はこれに限定されない。なお、駆動手段３７を複数箇所に設ける場合は、それぞれ中心軸に対して等角度間隔で配置されていることが望ましい。
【００８３】
また、軸方向から見たときに円環状に形成される空間内に、円環状の薄板で形成されたダイヤフラムを固定し、複数の作動棒でこのダイヤフラムと通路形成部材３５とを連結する構成としてもよい。
【００８４】
次に、ロワーボデー３４は、金属製の円柱状部材で形成されており、ハウジングボデー３１の底面を閉塞するように、ハウジングボデー３１内にネジ止め等の手段によって固定されている。そして、ハウジングボデー３１の内部空間のうち、ロワーボデー３４の上面側とミドルボデー３３の底面側との間には、ディフューザ通路１３ｃから流出した冷媒の気液を分離する気液分離空間３０ｆが形成されている。
【００８５】
この気液分離空間３０ｆは、略円柱状の回転体形状の空間として形成されており、気液分離空間３０ｆの中心軸も、旋回空間３０ａ、減圧用空間３０ｂ等の中心軸と同軸上に配置されている。
【００８６】
前述の如く、ディフューザ通路１３ｃでは、冷媒が断面円環形状の冷媒通路に沿って旋回しながら流れるので、このディフューザ通路１３ｃから気液分離空間３０ｆへ流入する冷媒も、旋回方向の速度成分を有している。従って、気液分離空間３０ｆ内では遠心力の作用によって冷媒の気液が分離されることになる。さらに、この気液分離空間３０ｆの内容積は、サイクルに負荷変動が生じてサイクルを循環する冷媒循環流量が変動しても、実質的に余剰冷媒を溜めることができない程度の容積になっている。
【００８７】
ロワーボデー３４の中心部には、気液分離空間３０ｆに対して同軸上に配置されて、上方側へ向かって延びる円筒状のパイプ３４ａが設けられている。従って、気液分離空間３０ｆにて分離された液相冷媒は、パイプ３４ａの外周側に一時的に滞留して、液相冷媒流出口３１ｃから流出する。このパイプ３４ａの内部には、気液分離空間３０ｆにて分離された気相冷媒を気相冷媒流出口３１ｄへ導く気相冷媒流出通路３４ｂが形成されている。
【００８８】
さらに、ハウジングボデー３１の気液分離空間３０ｆを形成する内周壁面の下方側（分離された液相冷媒が貯留される空間を形成する側）には、気液分離空間３０ｆにて分離された液相冷媒を液相冷媒流出口３１ｃへ導く液相冷媒流出通路３０ｉの入口部３０ｊが形成されている。
【００８９】
パイプ３４ａの上端部には、前述したコイルバネ４０が固定されている。なお、コイルバネ４０は、冷媒が減圧される際の圧力脈動に起因する通路形成部材３５の振動を減衰させる振動緩衝部材としての機能も果たしている。
【００９０】
また、円柱状に形成されたロワーボデー３４のうちパイプ３４ａの外周側の上面、すなわち気液分離空間３０ｆの底面を形成する部位には、オイル戻し通路３４ｃの入口部３４ｄが開口している。このオイル戻し通路３４ｃは、気液分離空間３０ｆにて分離されて冷凍機油が混入した液相冷媒を気相冷媒流出通路３４ｂへ導く冷媒通路であって、気液分離空間３０ｆの軸方向と平行に伸びる形状に形成されている。
【００９１】
さらに、オイル戻し通路３４ｃの入口部３４ｄは、図４の断面図に示すように、通路形成部材３５の軸中心よりも気液分離空間３０ｆの外周側に近い位置に配置されている。一方、オイル戻し通路３４ｃの出口部３４ｅは、気相冷媒流出通路３４ｂ内で開口している。
【００９２】
また、通路形成部材３５の軸方向から見たときに、通路形成部材３５の軸中心から液相冷媒流出通路３０ｉの入口部３０ｊの中心へ向かって延びる線分Ｌ１と通路形成部材３５の軸中心からオイル戻し通路３４ｃの入口部３４ｄの中心へ向かって延びる線分Ｌ２は、同一の直線上に配置されている。
【００９３】
つまり、本実施形態では、線分Ｌ１と線分Ｌ２との間に形成される角度θが１８０°となっている。従って、線分Ｌ１と線分Ｌ２との間に形成される角度としては、液相冷媒流出通路３０ｉの入口部３０ｊとオイル戻し通路３４ｃの入口部３４ｄが最も離れる角度が採用されていることになる。
【００９４】
なお、液相冷媒流出通路３０ｉの入口部３０ｊおよびオイル戻し通路３４ｃの入口部３４ｄの通路断面が円形に形成されていない場合は、液相冷媒流出通路３０ｉの入口部３０ｊの中心、オイル戻し通路３４ｃの入口部３４ｄの中心として、それぞれの入口部３０ｊ、３４ｃの通路断面の重心点等を採用してもよい。
【００９５】
エジェクタ１３の液相冷媒流出口３１ｃには、図１に示すように、蒸発器１４の入口側が接続されている。蒸発器１４は、エジェクタ１３にて減圧された低圧冷媒と送風ファン１４ａから車室内へ送風される送風空気とを熱交換させることによって、低圧冷媒を蒸発させて吸熱作用を発揮させる吸熱用熱交換器である。
【００９６】
送風ファン１４ａは、制御装置から出力される制御電圧によって回転数（送風空気量）が制御される電動式送風機である。蒸発器１４の出口側には、エジェクタ１３の冷媒吸引口３１ｂが接続されている。さらに、エジェクタ１３の気相冷媒流出口３１ｄには圧縮機１１の吸入側が接続されている。
【００９７】
次に、図示しない制御装置は、ＣＰＵ、ＲＯＭおよびＲＡＭ等を含む周知のマイクロコンピュータとその周辺回路から構成される。この制御装置は、そのＲＯＭ内に記憶された制御プログラムに基づいて各種演算、処理を行って、上述の各種電気式のアクチュエータ１１ｂ、１２ｄ、１４ａ等の作動を制御する。
【００９８】
また、制御装置には、車室内温度を検出する内気温センサ、外気温を検出する外気温センサ、車室内の日射量を検出する日射センサ、蒸発器１４の吹出空気温度（蒸発器温度）を検出する蒸発器温度センサ、放熱器１２出口側冷媒の温度を検出する出口側温度センサおよび放熱器１２出口側冷媒の圧力を検出する出口側圧力センサ等の空調制御用のセンサ群が接続され、これらのセンサ群の検出値が入力される。
【００９９】
さらに、制御装置の入力側には、車室内前部の計器盤付近に配置された図示しない操作パネルが接続され、この操作パネルに設けられた各種操作スイッチからの操作信号が制御装置へ入力される。操作パネルに設けられた各種操作スイッチとしては、車室内空調を行うことを要求する空調作動スイッチ、車室内温度を設定する車室内温度設定スイッチ等が設けられている。
【０１００】
なお、本実施形態の制御装置は、その出力側に接続された各種の制御対象機器の作動を制御する制御手段が一体に構成されたものであるが、制御装置のうち、各制御対象機器の作動を制御する構成（ハードウェアおよびソフトウェア）が各制御対象機器の制御手段を構成している。例えば、本実施形態では、圧縮機１１の電動モータ１１ｂの作動を制御する構成（ハードウェアおよびソフトウェア）が吐出能力制御手段を構成している。
【０１０１】
次に、上記構成における本実施形態の作動を図５のモリエル線図を用いて説明する。なお、このモリエル線図の縦軸には、図３のＰ０、Ｐ１、Ｐ２に対応する圧力が示されている。まず、操作パネルの作動スイッチが投入（ＯＮ）されると、制御装置が圧縮機１１の電動モータ１１ｂ、冷却ファン１２ｄ、送風ファン１４ａ等を作動させる。これにより、圧縮機１１が冷媒を吸入し、圧縮して吐出する。
【０１０２】
圧縮機１１から吐出された高温高圧状態の気相冷媒（図５のａ５点）は、放熱器１２の凝縮部１２ａへ流入し、冷却ファン１２ｄから送風された送風空気（外気）と熱交換し、放熱して凝縮する。凝縮部１２ａにて放熱した冷媒は、レシーバ部１２ｂにて気液分離される。レシーバ部１２ｂにて気液分離された液相冷媒は、過冷却部１２ｃにて冷却ファン１２ｄから送風された送風空気と熱交換し、さらに放熱して過冷却液相冷媒となる（図５のａ５点→ｂ５点）。
【０１０３】
放熱器１２の過冷却部１２ｃから流出した過冷却液相冷媒は、エジェクタ１３の減圧用空間３０ｂの内周面と通路形成部材３５の外周面との間に形成されるノズル通路１３ａにて等エントロピ的に減圧されて噴射される（図５のｂ５点→ｃ５点）。この際、減圧用空間３０ｂの最小通路面積部３０ｍにおける冷媒通路面積は、蒸発器１４出口側冷媒の過熱度が予め定めた所定値に近づくように調整される。
【０１０４】
そして、ノズル通路１３ａから噴射された噴射冷媒の吸引作用によって、蒸発器１４から流出した冷媒が冷媒吸引口３１ｂ、吸引用通路１３ｂ（流入空間３０ｃおよび吸引通路３０ｄ）を介して吸引される。さらに、ノズル通路１３ａから噴射された噴射冷媒と吸引用通路１３ｂ等を介して吸引された吸引冷媒は、ディフューザ通路１３ｃへ流入する（図５のｃ５点→ｄ５点、ｈ５点→ｄ５点）。
【０１０５】
ディフューザ通路１３ｃでは冷媒通路面積の拡大により、冷媒の速度エネルギが圧力エネルギに変換される。これにより、噴射冷媒と吸引冷媒が混合されながら混合冷媒の圧力が上昇する（図５のｄ５点→ｅ５点）。ディフューザ通路１３ｃから流出した冷媒は気液分離空間３０ｆにて気液分離される（図５のｅ５点→ｆ５点、ｅ５点→ｇ５点）。
【０１０６】
気液分離空間３０ｆにて分離された液相冷媒は液相冷媒流出口３１ｃから流出して、蒸発器１４へ流入する。蒸発器１４へ流入した冷媒は、送風ファン１４ａによって送風された送風空気から吸熱して蒸発し、送風空気が冷却される（図５のｇ５点→ｈ５点）。一方、気液分離空間３０ｆにて分離された気相冷媒は気相冷媒流出口３１ｄから流出して、圧縮機１１へ吸入され再び圧縮される（図５のｆ５点→ａ５点）。
【０１０７】
本実施形態のエジェクタ式冷凍サイクル１０は、以上の如く作動して、車室内へ送風される送風空気を冷却することができる。さらに、このエジェクタ式冷凍サイクル１０では、ディフューザ通路１３ｃにて昇圧された冷媒を圧縮機１１に吸入させるので、圧縮機１１の駆動動力を低減させて、サイクル効率（ＣＯＰ）を向上させることができる。
【０１０８】
さらに、本実施形態のエジェクタ１３によれば、旋回空間３０ａにて冷媒を旋回させることで、旋回空間３０ａ内の旋回中心側の冷媒圧力を、飽和液相冷媒となる圧力、あるいは、冷媒が減圧沸騰する（キャビテーションを生じる）圧力まで低下させることができる。これにより、旋回中心軸の外周側よりも内周側に気相冷媒が多く存在するようにして、旋回空間３０ａ内の旋回中心線近傍はガス単相、その周りは液単相の二相分離状態とすることができる。
【０１０９】
このように二相分離状態となった冷媒がノズル通路１３ａへ流入することで、ノズル通路１３ａの先細部１３１では、円環状の冷媒通路の外周側壁面から冷媒が剥離する際に生じる壁面沸騰および円環状の冷媒通路の中心軸側の冷媒のキャビテーションによって生じた沸騰核による界面沸騰によって冷媒の沸騰が促進される。これにより、ノズル通路１３ａの最小通路面積部３０ｍへ流入する冷媒が、気相と液相が均質に混合した気液混合状態となる。
【０１１０】
そして、最小通路面積部３０ｍの近傍で気液混合状態の冷媒の流れに閉塞（チョーキング）が生じ、このチョーキングによって音速に到達した気液混合状態の冷媒が末広部１３２にて加速されて噴射される。このように、壁面沸騰および界面沸騰の双方による沸騰促進によって、気液混合状態の冷媒を音速となるまで効率よく加速できることで、ノズル通路１３ａにおけるエネルギ変換効率（従来技術のノズル効率に相当）を向上させることができる。
【０１１１】
また、本実施形態のエジェクタ１３では、通路形成部材３５として減圧用空間３０ｂから離れるに伴って断面積が拡大する円錐状に形成されたものを採用して、ディフューザ通路１３ｃの断面形状を円環状に形成しているので、ディフューザ通路１３ｃの形状を減圧用空間３０ｂから離れるに伴って通路形成部材３５の外周に沿って広がる形状とすることができるとともに、ディフューザ通路１３ｃを流通する冷媒を旋回させることができる。
【０１１２】
これにより、ディフューザ通路１３ｃにおいて冷媒を昇圧させるための流路を螺旋状に形成することができるので、従来技術の如くディフューザ部がノズル部の軸線方向に延びる形状に形成されている場合に対して、ディフューザ通路１３ｃの軸方向（通路形成部材３５の軸方向）の寸法が拡大してしまうことを抑制できる。その結果、エジェクタ１３全体としての体格の大型化を抑制できる。
【０１１３】
また、本実施形態のエジェクタ１３のボデー３０には、ディフューザ通路１３ｃから流出した冷媒の気液を分離する気液分離空間３０ｆが形成されているので、エジェクタ１３とは別に気液分離手段を設ける場合に対して、気液分離空間３０ｆの容積を効果的に小さくすることができる。
【０１１４】
つまり、本実施形態の気液分離空間３０ｆでは、断面円環状に形成されたディフューザ通路１３ｃから流出する冷媒が既に旋回しているので気液分離空間３０ｆ内で冷媒の旋回流れを発生あるいは成長させるための空間を設ける必要がない。従って、エジェクタ１３とは別に気液分離手段を設ける場合に対して、気液分離空間３０ｆの容積を効果的に小さくすることができる。
【０１１５】
また、本実施形態のエジェクタ１３によれば、通路形成部材３５の軸方向から見たときに、気液分離空間３０ｆ内で開口するオイル戻し通路３４ｃの入口部３４ｄが、通路形成部材３５の軸中心よりも外周側に近い位置に配置されている。
【０１１６】
従って、ディフューザ通路１３ｃの断面形状が環状に形成されて、ディフューザ通路が冷媒流れ下流側に向かって徐々に外周側に広がる形状に形成されていることや、遠心力の作用によって、気液分離空間３０ｆの外周側に偏在している液相冷媒を、効率的にオイル戻し通路３４ｃへ流入させることができる。そして、気相冷媒流出通路３４ｂを介して、冷凍機油が混入した液相冷媒を圧縮機１１の吸入側へ流出させることができる。
【０１１７】
つまり、本実施形態のエジェクタ１３によれば、気液分離空間３０ｆにて分離された冷凍機油が混入した液相冷媒を適切に外部へ流入させることのできる気液分離手段一体型のエジェクタを実現することができる。
【０１１８】
また、本実施形態のエジェクタ１３によれば、通路形成部材３５の軸中心から液相冷媒流出通路３０ｉの入口部３０ｊの中心へ向かって延びる線分Ｌ１と通路形成部材３５の軸中心からオイル戻し通路３４ｃの入口部３４ｄの中心へ向かって延びる線分Ｌ２が同一の直線上に配置されているので、気液分離空間３０ｆ内で分離された気相冷媒がオイル戻し通路３４ｃへ流入してしまうことを効果的に抑制できる。
【０１１９】
その理由は、液相冷媒流出通路３０ｉの入口部３０ｊ近傍では、気液分離空間３０ｆ内の液相冷媒の液面が低下しやすいからである。つまり、線分Ｌ１と線分Ｌ２が一直線上となるように配置すれば、オイル戻し通路３４ｃの入口部３４ｄを液相冷媒流出通路３０ｉの入口部３０ｊから離れた位置に配置することができるので、オイル戻し通路３４ｃの入口部３４ｄ近傍における液相冷媒の液面の低下を抑制できる。
【０１２０】
その結果、気液分離空間３０ｆ内で分離された気相冷媒がオイル戻し通路３４ｃへ流入してしまうことを効果的に抑制できる。
【０１２１】
また、本実施形態のエジェクタ１３によれば、駆動手段３７を備えているので、エジェクタ式冷凍サイクル１０の負荷変動に応じて通路形成部材３５を変位させ、ノズル通路１３ａおよびディフューザ通路１３ｃの冷媒通路面積を調整することができる。従って、エジェクタ式冷凍サイクル１０の負荷変動に応じてエジェクタ１３を適切に作動させることができる。
【０１２２】
さらに、駆動手段３７のうち、感温媒体が封入された封入空間３７ｂが、吸引用通路１３ｂおよびディフューザ通路１３ｃに挟まれる位置に配置されているので、吸引用通路１３ｂとディフューザ通路１３ｃとの間に形成されるスペースを有効に活用することができる。その結果、より一層エジェクタ全体としての体格の大型化を抑制できる。
【０１２３】
しかも、封入空間３７ｂが吸引用通路１３ｂおよびディフューザ通路１３ｃによって囲まれる位置に配置されているので、外気温の影響等を受けることなく吸引用通路１３ｂを流通する冷媒の蒸発器１４流出冷媒の温度を感温媒体に良好に伝達して、封入空間３７ｂ内の圧力を変化させることができる。つまり、封入空間３７ｂ内の圧力を蒸発器１４流出冷媒の温度に応じて精度良く変化させることができる。
【０１２４】
（第２実施形態）
本実施形態では、第１実施形態に対して、図６の断面図に示すように、エジェクタ１３の気相冷媒流出通路３４ｂ内にオイル戻し通路３４ｃの出口部３４ｅにおける冷媒圧力を低下させる流出通路側減圧手段であるオリフィス３６を配置している。より具体的には、オリフィス３６は、気相冷媒流出通路３４ｂ内の通路断面積を縮小させることによって、オイル戻し通路３４ｃの出口部３４ｅにおける冷媒圧力を低下させている。
【０１２５】
その他のエジェクタ１３およびエジェクタ式冷凍サイクル１０の構成は第１実施形態と同様である。従って、本実施形態のエジェクタ１３においても第１実施形態と同様の効果を得ることができる。
【０１２６】
さらに、本実施形態のエジェクタ１３では、オリフィス３６を備えているので、オイル戻し通路３４ｃの入口部３４ｄにおける冷媒圧力よりも出口部３４ｅにおける冷媒圧力を低下させることができる。従って、冷凍機油が混入した液相冷媒を確実に圧縮機１１の吸入側へ流出させることができる。さらに、オリフィス３６における減圧量を適切に設定することで、オイル戻し通路３４ｃを介して圧縮機１１の吸入側へ戻す液相冷媒の流量を適切に調整することもできる。
【０１２７】
（第３実施形態）
本実施形態では、第１実施形態に対して、図７の断面図に示すように、貯液穴３４ｆを設けている。具体的には、この貯液穴３４ｆは、ロワーボデー３４のうちパイプ３４ａの外周側の上面、すなわち気液分離空間３０ｆの底面を形成する部位にザグリ加工を施し、底面を下方側に陥没させることによって形成されている。
【０１２８】
従って、貯液穴３４ｆは、その内部に気液分離空間３０ｆのうち最も下方側の空間を形成しており、貯液穴３４ｆ内には、気液分離空間３０ｆ内にて分離された液相冷媒が優先的に流入することになる。さらに、貯液穴３４ｆの内径は、オイル戻し通路３４ｃの通路径よりも大きく形成されており、本実施形態のオイル戻し通路３４ｃの入口部３４ｄは、貯液穴３４ｆの底面に開口している。
【０１２９】
その他のエジェクタ１３およびエジェクタ式冷凍サイクル１０の構成は第１実施形態と同様である。従って、本実施形態のエジェクタ１３においても第１実施形態と同様の効果を得ることができる。
【０１３０】
さらに、本実施形態のエジェクタ１３では、気液分離空間３０ｆの底面を形成する部位に貯液穴３４ｆを設け、この貯液穴３４ｆ内でオイル戻し通路３４ｃの入口部３４ｄが開口しているので、負荷変動等によって気液分離空間３０ｆの液面が低下した場合や、車両の傾斜等によって気液分離空間３０ｆの液面が低下した場合であっても、冷凍機油が混入した液相冷媒を安定的にオイル戻し通路３４ｃへ流入させることができる。
【０１３１】
もちろん、貯液穴３４ｆを第２実施形態の流出通路側減圧手段としてのオリフィス３６を備えるエジェクタ１３に適用してもよい。
【０１３２】
（第４実施形態）
本実施形態では、第１実施形態のエジェクタ１３に対して、図８に示すように、ディフューザ通路１３から流出する冷媒が通路形成部材３５の軸周りに旋回することを促進する旋回促進手段である複数の整流板３８を追加した例を説明する。なお、図８では、通路形成部材３５を軸方向から見たときに、通路形成部材３５の円錐状側面に沿って流れる冷媒の流れ方向を太実線矢印にて模式的に図示しており、整流板３８等についても模式的に図示している。
【０１３３】
より具体的には、整流板３８は、通路形成部材３５の最下方部の外周側であって、ディフューザ通路１３ｃの冷媒出口側を形成する部位に配置されている。さらに、この整流板３８は、通路形成部材３５の軸方向に広がる板状部材で構成されており、図８に示すように、通路形成部材３５の軸周りに円環状に配置されている。
【０１３４】
また、それぞれの整流板３８は、軸方向から見たときに、その板面が径方向に対して傾斜して配置されている。そして、ディフューザ通路１３から流出する冷媒が各整流板３８の板面に沿って流れることによって、ディフューザ通路１３から流出する冷媒の旋回方向の流れが促進される。その他の構成および作動は、第１実施形態と同様である。従って、本実施形態のエジェクタ１３においても第１実施形態と同様の効果を得ることができる。
【０１３５】
ここで、例えば、エジェクタ式冷凍サイクル１０の熱負荷が減少して、サイクルを循環させる冷媒流量が少なくなる運転条件等では、ディフューザ通路１３ｃを流通する冷媒の速度成分のうち、旋回方向の速度成分が軸方向の速度成分に対して極めて小さくなってしまうことや、旋回方向の速度成分が殆ど無くなってしまうことがある。
【０１３６】
これに対して、本実施形態のエジェクタ１３によれば、旋回促進手段である整流板３８を備えているので、図８の太実線矢印に示すように、エジェクタ式冷凍サイクル１０の運転条件によらず、気液分離空間３０ｆへ流入する冷媒を通路形成部材３５の軸周りに旋回させることができる。従って、気液分離空間３０ｆ内の冷媒に確実に遠心力を作用させることができる。
【０１３７】
その結果、本実施形態のエジェクタ１３によれば、エジェクタ式冷凍サイクル１０の運転条件等によらず、気液分離空間３０ｆへ流入した冷媒の気液を確実に分離できるとともに、分離された液相冷媒を確実に気液分離空間３０ｆの外周側に偏在させてオイル戻し通路３４ｃへ流入させることができる。
【０１３８】
なお、本実施形態では、平板状に形成された整流板３８について説明したが、整流板３８はこれに限定されない。冷媒が通路形成部材３５の軸周りに旋回して流れることを促進することができれば、軸方向から見たときに旋回流れ方向に沿って湾曲した形状に形成されていてもよい。
【０１３９】
また、本実施形態では、図８に示すように、複数の整流板３８の配置を、冷媒流れ出口側の整流板３８同士の間隔が入口側の整流板３８同士の間隔よりも広くなる、いわゆる減速翼列配置としている。これによれば、隣り合う整流板３８同士の間に形成される冷媒通路の通路断面積を徐々に拡大させて、冷媒の速度エネルギを圧力エネルギに変換させるディフューザとして機能させることができる。
【０１４０】
さらに、整流板３８の配置は、これに限定されることなく、冷媒流れ出口側の整流板３８同士の間隔が入口側の整流板３８同士の間隔よりも狭くなる、いわゆる増速翼列配置（加速翼列配置）としてもよい。これによれば、隣り合う整流板３８同士の間に形成される冷媒通路の通路断面積を徐々に縮小させて、冷媒の旋回方向の流速を増速させることができるので、効果的に旋回流れを促進することができる。
【０１４１】
（他の実施形態）
本発明は上述の実施形態に限定されることなく、本発明の趣旨を逸脱しない範囲内で、以下のように種々変形可能である。
【０１４２】
（１）上述の実施形態では、オイル戻し通路３４ｃの入口部３４ｄが、ロワーボデー３４のうち気液分離空間３０ｆの底面を形成する部位に配置され、通路形成部材３５の軸方向から見たときに視認可能な位置に配置されているが、オイル戻し通路３４ｃの入口部３４ｄの配置はこれに限定されない。
【０１４３】
つまり、通路形成部材３５の軸方向から見たときに、オイル戻し通路３４ｃの入口部３４ｄが通路形成部材３５の軸中心よりも気液分離空間３０ｆの外周側に近い位置に配置されていれば、例えば、ハウジングボデー３１の気液分離空間３０ｆの円筒状側面を形成する部位に配置されていてもよいし、ロワーボデー３４のパイプ３４ａの円筒状側面に配置されていてもよい。
【０１４４】
（２）上述の実施形態では、気液分離空間３０ｆと液相冷媒流出口３１ｃとを接続する液相冷媒流出通路３０ｉの詳細構成について説明していないが、液相冷媒流出通路３０ｉは、図９の断面図に示すように、気液分離空間３０ｆの内周壁面の接線方向に延びていてもよい。これにより、気液分離空間３０ｆ内で旋回する冷媒の運動エネルギを有効に活用して、冷媒を蒸発器１４側へ流出させることができる。
【０１４５】
このように液相冷媒流出通路３０ｉを構成した場合であっても、図９に示すように、線分Ｌ１と線分Ｌ２が同一直線上に配置すればよい。換言すると、線分Ｌ１と線分Ｌ２との間に形成される角度θを１８０°となるように配置すればよい。
【０１４６】
ここで、本発明者らの検討によれば、線分Ｌ１と線分Ｌ２との間に形成される角度が９０°以上となっていれば、気相冷媒がオイル戻し通路３４ｃへ流入してしまうことを充分に抑制できることが判っている。
【０１４７】
従って、複数のオイル戻し通路３４ｃおよび液相冷媒流出通路３０ｉを設ける場合も、線分Ｌ１と線分Ｌ２との間に形成される角度が９０°以上とすることが望ましい。例えば、２つのオイル戻し通路３４ｃと２つの液相冷媒流出通路３０ｉを設ける場合は、図１０に示すように配置すればよい。
【０１４８】
すなわち、２つのオイル戻し通路３４ｃの入口部３４ｄを通路形成部材３５の軸中心に対して対称に配置し、２つの液相冷媒流出通路３０ｉの入口部３０ｊを通路形成部材３５の軸中心に対して対称に配置し、さらに、それぞれの４つの入口部３４ｄ、３０ｊを通路形成部材３５の軸中心に対して９０°間隔で配置すればよい。なお、図９、図１０は、それぞれ第１実施形態の図４に対応する図面である。
【０１４９】
（３）上述の実施形態では、エジェクタ１３の液相冷媒流出口３１ｃの詳細について説明していないが、液相冷媒流出口３１ｃに冷媒を減圧させる減圧手段（例えば、オリフィスやキャピラリチューブからなる側固定絞り）を配置してもよい。例えば、液相冷媒流出口３１ｃに固定絞りを追加して、エジェクタ１３を二段昇圧式の圧縮機を備えるエジェクタ式冷凍サイクルに適用してもよい。
【０１５０】
（４）上述の実施形態では、通路形成部材３５を変位させる駆動手段３７として、温度変化に伴って圧力変化する感温媒体が封入された封入空間３７ｂおよび封入空間３７ｂ内の感温媒体の圧力に応じて変位するダイヤフラム３７ａを有して構成されたものを採用した例を説明したが、駆動手段はこれに限定されない。
【０１５１】
例えば、感温媒体として温度によって体積変化するサーモワックスを採用してもよいし、駆動手段として形状記憶合金性の弾性部材を有して構成されたものを採用してもよいし、さらに、駆動手段として電動モータやソレノイド等の電気的機構によって通路形成部材３５を変位させるものを採用してもよい。
【０１５２】
（５）上述の実施形態では、通路形成部材３５の材質について説明していないが、通路形成部材３５は金属（例えば、アルミニウム）で形成してもよいし、樹脂で形成してもよい。例えば、通路形成部材３５を樹脂で形成して軽量化を図ることによって、駆動手段３
７を小型化することができ、エジェクタ１３全体としての体格のより一層の小型化を図ることができる。
【０１５３】
（６）上述の実施形態では、本発明のエジェクタ１３を備えるエジェクタ式冷凍サイクル１０を、車両用空調装置に適用した例を説明したが、本発明のエジェクタ１３を備えるエジェクタ式冷凍サイクル１０の適用はこれに限定されない。例えば、据置型空調装置、冷温保存庫、自動販売機用冷却加熱装置等に適用してもよい。
【０１５４】
（７）上述の実施形態では、放熱器１２として、サブクール型の熱交換器を採用した例を説明したが、凝縮部１２ａのみからなる通常の放熱器を採用してもよい。
【符号の説明】
【０１５５】
１０    エジェクタ式冷凍サイクル
１１    圧縮機
１３    エジェクタ
１３ａ  ノズル通路
１３ｂ  吸引用通路
１３ｃ  ディフューザ通路
３０    ボデー
３０ｆ  気液分離空間
３４ｃ  オイル戻し通路
３５    通路形成部材
【図１】
2014142166.tif 000003
【図２】
2014142166.tif 000004
【図３】
2014142166.tif 000005
【図４】
2014142166.tif 000006
【図５】
2014142166.tif 000007
【図６】
2014142166.tif 000008
【図７】
2014142166.tif 000009
【図８】
2014142166.tif 000010
【図９】
2014142166.tif 000011
【図１０】
2014142166.tif 000012